(57)【特許請求の範囲】
【請求項１】
外周に糸巻溝を形成するように設けられた第１及び第２のフランジ部を有する釣糸用糸巻であって、
前記第１のフランジ部の前記糸巻溝側の面に、前記第１のフランジ部の周縁から前記糸巻溝の底部にわたって所定の幅を有し、かつ、少なくとも釣糸の直径分だけ凹んだ凹部が形成されていると共に、前記凹部の少なくとも一方の段差部に切り込みが形成されており、
前記第１のフランジ部に、前記切り込みに隣接して前記切り込みに向かって下り勾配の釣糸導入用の傾斜面が形成されており、
前記第２のフランジ部に、前記釣糸導入用の傾斜面に対向して前記釣糸導入用の傾斜面と同じ向きに傾斜した釣糸導出用の傾斜面が形成されていることを特徴とする釣糸用糸巻。
【請求項２】
前記第１のフランジ部に、前記第１のフランジ部の周縁から前記糸巻溝の底部にわたって所定の幅を有する長方形状の切り欠き部が形成され、かつ、前記切り欠き部に長方形状の弾性部材が装着され、前記弾性部材の前記糸巻溝側の面が前記第１のフランジ部の前記糸巻溝側の面よりも少なくとも釣糸の直径分だけ凹んだ状態にある請求項１に記載の釣糸用糸巻。
【請求項３】
前記第１のフランジ部側の面に、前記糸巻溝に巻かれた釣糸の端部を係止しておくための係止部が設けられた請求項１又は２に記載の釣糸用糸巻。
【発明の詳細な説明】
【０００１】
【発明の属する技術分野】
本発明は、釣糸用糸巻に関する。さらに詳細には、釣糸全体を糸巻溝の一方の端から他方の端にわたって平行に巻いていくことのできる釣糸用糸巻に関する。
【０００２】
【従来の技術】
図７に示すように、従来の釣糸３０は、適当なトラバースで釣糸用糸巻（スプール）３１に巻かれて市場に出されていた。
【０００３】
しかし、このような形態で釣糸が巻かれた場合には、釣糸の互いに重なった部分が釣糸同士の押圧力でへこみ、釣糸に無数の凹凸を発生させてしまう。このため、外観や手触りが悪くなり、釣糸としての商品価値を低下させることとなる。
【０００４】
以上のような問題点に対しては、釣糸が部分的に重ならないように、釣糸の全体を釣糸用糸巻の糸巻溝に平行に巻いていけば（以下「平行巻き」という。）、釣糸に凹凸が発生しないことが確認されている。
【０００５】
以下に、平行巻きを連続して行うための従来の釣糸用糸巻について、図５を参照しながら説明する。図５に示すように、釣糸用糸巻３２には、その外周に糸巻溝３３を形成するように第１及び第２のフランジ部３４ａ、３４ｂが設けられている。第１及び第２のフランジ部３４ａ、３４ｂには、それぞれ釣糸導入用の切り欠き３５と釣糸導出用の切り欠き３６が対向して形成されている。また、釣糸用糸巻３２の側面には、釣糸導出用の切り欠き３６の近傍に釣糸係止用部材３７が取り付けられている。これにより、巻き取った釣糸の端部をこの釣糸係止用部材３７に係止させておくことができる。また、釣糸用糸巻３２には、その中心軸上に巻軸（図示せず）を挿通するための円筒状の軸穴３８が形成されている。軸穴３８の外周部には、その長手方向に沿って軸穴３８に連続した凹溝３９が形成されている。そして、釣糸用糸巻３２の軸穴３８に巻軸を挿通する際に、巻軸の長手方向に沿って形成された凸条を凹溝３９に入れ込むことにより、釣糸用糸巻３２を巻軸上で固定することができる。
【０００６】
次に、以上のように構成された従来の釣糸用糸巻を用いて平行巻きを行う場合について簡単に説明する。
釣糸用糸巻３２を巻軸上に固定した状態で巻軸を回転させれば、釣糸導入用の切り欠き３５から糸巻溝３３内に導入された釣糸は所定のトラバースで糸巻溝３３に平行に複数段に巻かれていく。そして、１個の釣糸用糸巻３２に釣糸を巻き終わったら、釣糸は釣糸導出用の切り欠き３６から導出され、巻軸上に隣接して固定された他の釣糸用糸巻３２の釣糸導入用の切り欠き３５から他の釣糸用糸巻３２の糸巻溝３３内に導入される。以後、同様の動作を繰り返すことにより、複数の釣糸用糸巻３２に連続して平行巻きを行うことができる。
【０００７】
【発明が解決しようとする課題】
しかし、上記従来の釣糸用糸巻３２を用いた場合には、図６に示すように、第１のフランジ部３４ａに形成された釣糸導入用の切り欠き３５から導入された釣糸は、糸巻溝３３の底部に至るまでの間、第１のフランジ部３４ａの糸巻溝３３側の面に添って斜にわたされた状態となる（図６の釣糸４０）。このため、釣糸を糸巻溝３３に平行に巻いていく際に、第１のフランジ部３４ａの糸巻溝３３側の面に添って斜にわたされた釣糸４０が邪魔になり、糸巻溝３３の端部に一本分だけ釣糸が巻かれていない空隙部分が生じてしまう。その結果、この空隙部分に隣接して平行に巻かれた釣糸が空隙部分に落ち込み、平行に巻かれた釣糸の状態が崩れてしまうために、釣糸を使用しづらくなってしまう。
【０００８】
また、上記従来の釣糸用糸巻３２を用いて釣糸を巻いていった場合、釣糸の巻き始めの端部（図６の４０の部分）は、糸巻溝３３の端部に沿って巻かれた釣糸の押圧力のみによって固定された状態となるため、釣糸用糸巻３２に巻かれた釣糸をハリス用に少しずつ切断して使用していく段階で、釣糸が釣糸用糸巻３２から解けてしまい、最後まで釣糸用糸巻３２に保持しておくことができない。
【０００９】
本発明は、従来技術における前記課題を解決するためになされたものであり、釣糸全体を糸巻溝の一方の端から他方の端にわたって平行に巻いていくことができると共に、釣糸を最後まで保持しておくことのできる釣糸用糸巻を提供することを目的とする。
【００１０】
【課題を解決するための手段】
前記目的を達成するため、本発明に係る釣糸用糸巻の構成は、外周に糸巻溝を形成するように設けられた第１及び第２のフランジ部を有する釣糸用糸巻であって、前記第１のフランジ部の前記糸巻溝側の面に、前記第１のフランジ部の周縁から前記糸巻溝の底部にわたって所定の幅を有し、かつ、少なくとも釣糸の直径分だけ凹んだ凹部が形成されていると共に、前記凹部の少なくとも一方の段差部に切り込みが形成されており、前記第１のフランジ部に、前記切り込みに隣接して釣糸導入用の傾斜面が形成されており、前記第２のフランジ部に、前記釣糸導入用の傾斜面に対向して前記釣糸導入用の傾斜面と同じ向きに傾斜した釣糸導出用の傾斜面が形成されていることを特徴とする。この釣糸用糸巻の構成によれば、釣糸が切り込みから糸巻溝内に導入された後、糸巻溝の端部に沿って巻かれていくまでの間、釣糸は第１のフランジ部の糸巻溝側の面よりも少なくとも釣糸の直径分だけ凹んだ凹部内に位置することとなるので、釣糸を糸巻溝内に平行に巻いていく際に、この部分が邪魔になることはない。このため、釣糸の全体を糸巻溝の一方の端から他方の端にわたって平行に巻いていくことができる。すなわち、従来のように糸巻溝の端部に釣糸が巻かれていない空隙部分が生じることはない。その結果、平行に巻かれた釣糸の状態が崩れてしまうことはない。また、釣糸の巻き始めの端部を、凹部の段差部に形成された切り込みに係止しておくことができるので、釣糸用糸巻に巻かれた釣糸をハリス用に少しずつ切断して使用していく段階で、釣糸が釣糸用糸巻から解けてしまうことがなく、釣糸を最後まで釣糸用糸巻に保持しておくことができる。また、第１のフランジ部に、切り込みに隣接して釣糸導入用の傾斜面が形成されているので、釣糸を当該釣糸導入用の傾斜面を滑らせることにより、釣糸を切り込みに入れ込んで、糸巻溝内に簡単に導入することができる。さらに、第２のフランジ部に、釣糸導入用の傾斜面に対向して前記釣糸導入用の傾斜面と同じ向きに傾斜した釣糸導出用の傾斜面が形成されているので、複数個の釣糸用糸巻に連続して平行巻きを行う際に、釣糸を釣糸導出用の傾斜面と釣糸導入用の傾斜面を滑らせることにより、釣糸を隣接する釣糸用糸巻の切り込みに入れ込んで、隣接する釣糸用糸巻の糸巻溝内に簡単に導入することができる。
【００１１】
また、前記本発明の釣糸用糸巻の構成においては、前記第１のフランジ部に、前記第１のフランジ部の周縁から前記糸巻溝の底部にわたって所定の幅を有する長方形状の切り欠き部が形成され、かつ、前記切り欠き部に長方形状の弾性部材が装着され、前記弾性部材の前記糸巻溝側の面が前記第１のフランジ部の前記糸巻溝側の面よりも少なくとも釣糸の直径分だけ凹んだ状態にあるのが好ましい。この好ましい例によれば、切り欠き部の側壁と弾性部材とによって釣糸の巻き始めの端部を係止しておくための切り込みが形成されることとなるため、号数の異なる複数の釣糸の巻き始めの端部を係止させておくことが可能となる。その結果、１つの釣糸用糸巻を号数の異なる複数の糸巻に対して使用することができる。
【００１２】
また、前記本発明の釣糸用糸巻の構成においては、前記第１のフランジ部側の面に、前記糸巻溝に巻かれた釣糸の端部を係止しておくための係止部が設けられているのが好ましい。この好ましい例によれば、糸巻溝に巻かれた釣糸の両端部をしっかりと固定しておくことができる。
【００１５】
【発明の実施の形態】
以下、実施の形態を用いて本発明をさらに具体的に説明する。
図１は本発明の実施の形態における釣糸用糸巻を示す分解斜視図、図２は本発明の実施の形態における釣糸用糸巻に弾性部材を装着した状態を示す斜視図である。
【００１６】
図１に示すように、釣糸用糸巻１には、その外周に糸巻溝２を形成するように第１及び第２のフランジ部３ａ、３ｂが設けられている。第１のフランジ部３ａには、その周縁から糸巻溝２の底部にわたって所定の幅を有する長方形状の切り欠き部４が形成されている。釣糸用糸巻１には、第１のフランジ部３ａと同じ側の面に切り欠き部４に連続して凹所１３が形成されている。凹所１３内には、後述する弾性部材６の第１及び第２の突起６ｃ、６ｄを嵌合させるための第１及び第２の嵌合孔５ｃ、５ｄが設けられている。スチレンブタジエンゴム（ＳＢＲ）等のジエン系ゴム、ウレタンゴム、シリコーンゴム等の非ジエン系ゴム、ウレタン樹脂、ナイロン、ポリエステル等の熱可塑性エラストマー等からなり、長方形状部分６ｅと、長方形状部分６ｅに一体成形された円形状部分６ｆとにより構成された弾性部材６には、長方形状部分６ｅの下端部に凹所１３内の第１の嵌合孔５ｃに嵌合する第１の突起６ｃが一体に成形されている。また、弾性部材６には、円形状部分６ｆに凹所１３内の第２の嵌合孔５ｄに嵌合する第２の突起６ｄが一体に成形されている。これにより、第１の突起６ｃを第１の嵌合孔５ｃに嵌合させれば、弾性部材６の長方形状部分６ｅを第１のフランジ部３ａに形成された切り欠き部４に装着することができる（図２参照）。尚、弾性部材６の円形状部分６ｆは、釣糸の巻き始めの端部（及び／又は巻き終わりの端部）を係止しておくためのものである。すなわち、釣糸の端部は、円形状部分６ｆと凹所１３との間に巻き込まれた状態で係止される。この場合、弾性部材６の円形状部分６ｆに凹所１３内の第２の嵌合孔５ｄと嵌合する第２の突起６ｄを設けたのは、円形状部分６ｆと凹所１３との間に巻き込んだ状態で釣糸の端部を係止する際に、弾性部材６の長方形状部分６ｅが外側に押圧されて浮いてしまうことがないようにするためであり、第２の突起６ｄはいわゆるストッパーとしての役目を果たしている。
【００１７】
切り欠き部４の左右両辺には、糸巻溝２側に向かうに従って互いに近づくように傾斜した傾斜面４ａ、４ｂが形成されている。また、弾性部材６の長方形状部分６ｅの左右両辺にも、第１のフランジ部３ａの切り欠き部４に装着したときに糸巻溝２側に向かうに従って互いに近づくように傾斜した傾斜面６ａ、６ｂが形成されている。このように切り欠き部４の左右両辺と弾性部材６の左右両辺に、糸巻溝２側に向かうに従って互いに近づくように傾斜した傾斜面４ａ、４ｂ、６ａ、６ｂが形成されていることにより、弾性部材６の長方形状部分６ｅを切り欠き部４に装着したときに、切り欠き部４の傾斜面４ａ、４ｂと弾性部材６の長方形状部分６ｅの傾斜面６ａ、６ｂとが係合することとなるので、弾性部材６が糸巻溝２側に移動することはない（図２参照）。
【００１８】
弾性部材６の長方形状部分６ｅには、その中心軸線上に係止用切り込み７が形成されている。この係止用切り込み７は、釣糸の巻き終わりの端部を係止しておくためのものである。この場合にはさらに、釣糸の巻き終わりの端部を、弾性部材６の円形状部分６ｆと凹所１３との間に巻き込んだ状態で係止してもよい。
【００１９】
図１、図２に示すように、第１のフランジ部３ａに形成された切り欠き部４の幅と弾性部材６の長方形状部分６ｅの幅は略同一となっているが、弾性部材６の長方形状部分６ｅの厚みは釣糸の直径分だけ第１のフランジ部３ａの幅より薄くなっている。このため、弾性部材６の長方形状部分６ｅを切り欠き部４に装着した状態では、弾性部材６の長方形状部分６ｅの糸巻溝２側の面は第１のフランジ部３ａの糸巻溝２側の面よりも釣糸８の直径分だけ凹んだ状態となる（図３、図４（ａ）参照。以下、この凹んだ状態となっている箇所を「凹部１４」という。）。凹部１４の幅は、切り欠き部４と弾性部材６の長方形状部分６ｅとにより形成された切り込み１５から糸巻溝２内に導入され、糸巻溝２の底部に至る釣糸が凹部１４内に収まる寸法となるように設計する必要がある。
【００２０】
第１のフランジ部３ａには、切り欠き部４と弾性部材６の長方形状部分６ｅとにより形成される切り込み１５に釣糸を入れ込み、釣糸を糸巻溝２内に導入するための釣糸導入用の傾斜面１６が形成されている。第２のフランジ部３ｂには、第１のフランジ部３ａの釣糸導入用の傾斜面１６と対向して釣糸導出用の傾斜面１７が形成されている。この釣糸導出用の傾斜面１７は、複数個の釣糸用糸巻１に連続して平行巻きを行う際に、巻き終わった釣糸用糸巻１から隣接する釣糸用糸巻１の糸巻溝２内に釣糸を導出するためのものである。
【００２１】
釣糸用糸巻１の一方の側面には、第２のフランジ部３ｂと同一平面に鏡板９が設けられており、鏡板９の中央には巻軸（図示せず）を挿通するための円筒状の軸穴１０が形成されている。軸穴１０は、この軸穴１０と釣糸用糸巻１の内周面との間に介在する複数の補強板１８によって補強されている。軸穴１０の外周部には、その長手方向に沿って軸穴１０に連続した凹溝１９が形成されている。そして、釣糸用糸巻１の軸穴１０に巻軸を挿通する際に、巻軸の長手方向に沿って形成された凸条を凹溝１９に入れ込むことにより、釣糸用糸巻１を巻軸上で固定することができる。
【００２２】
次に、以上のように構成された釣糸用糸巻を用いて平行巻きを行う場合について説明する。
まず、巻軸の凸条を釣糸用糸巻１の凹溝１９に入れ込んだ状態で、釣糸用糸巻１の軸穴１０を巻軸に挿通し、複数個の釣糸用糸巻１を巻軸上に固定する。
【００２３】
次いで、図４（ａ）に示すように、巻軸を回転させて、釣糸用糸巻１を矢印の方向に回転させながら、釣糸８を釣糸用糸巻１の第１のフランジ部３ａに導く。第１のフランジ部３ａに導かれた釣糸８は、この第１のフランジ部３ａに形成された釣糸導入用の傾斜面１６を滑って、切り欠き部４の側壁と弾性部材６の長方形状部分６ｅとによって形成された切り込み１５に入り込み、糸巻溝２内に導入される（図４（ａ）、図４（ｂ））。
【００２４】
次いで、釣糸８を第１のフランジ部３ａに平行に張れば、釣糸用糸巻１の回転に伴って、釣糸８は、切り欠き部４と弾性部材６の長方形状部分６ｅとにより形成された凹部１４を通過した後、糸巻溝２の底部の一方の端から第１のフランジ部３ａに対して平行に巻かれていく（図４（ｂ））。
【００２５】
このように、釣糸８が糸巻溝２内に導入された後、糸巻溝２の端部に沿って巻かれていくまでの間、釣糸８は第１のフランジ部３ａの糸巻溝２側の面よりも凹んだ凹部１４内に位置することとなるので、釣糸８を糸巻溝２に平行に巻いていく際に、この部分が邪魔になることはない。このため、釣糸８の全体を糸巻溝２の一方の端から他方の端にわたって平行に巻いていくことができる（図４（ｃ））。すなわち、従来のように糸巻溝２の端部に釣糸が巻かれていない空隙部分が生じることはない。その結果、平行に巻かれた釣糸の状態が崩れてしまうことはない。また、釣糸８の巻き始めの端部を、切り込み１５に係止しておくことができるので、釣糸用糸巻１に巻かれた釣糸８をハリス用に少しずつ切断して使用していく段階で、釣糸８が釣糸用糸巻１から解けてしまうことがなく、釣糸８を最後まで釣糸用糸巻１に保持しておくことができる。
【００２６】
以上のようにして釣糸８を１個の釣糸用糸巻１に巻き終えたら、釣糸８は第２のフランジ部３ｂに形成された釣糸導出用の傾斜面１７と隣接する別の釣糸用糸巻１の釣糸導入用の傾斜面１６を滑って、隣接する別の釣糸用糸巻１の第１のフランジ部３ａに形成された切り欠き部４の側壁と弾性部材６の長方形状部分６ｅとにより形成された切り込み１５内に入り込み、糸巻溝２内に導入されて上記と同様の平行巻きが行われる。
【００２７】
複数の釣糸用糸巻１へ釣糸８を巻き終えたら、隣接する釣糸用糸巻１間の釣糸８を切断する。そして、釣糸８の巻き始めの端部を、切り込み１５の最下位置までずらし、さらに弾性部材６の円形状部分６ｆと凹所１３との間に巻き込んだ状態で係止する。また、釣糸８の巻き終わりの端部を、弾性部材６の長方形状部分６ｅに形成された係止用切り込み７に係止する。
【００２８】
尚、本実施の形態においては、第１のフランジ部３ａに形成した切り欠き部４と、切り欠き部４より厚みの薄い弾性部材６の長方形状部分６ｅとによって、第１のフランジ部３ａの糸巻溝２側の面よりも凹んだ状態の凹部１４を形成しているが、必ずしもこの構成に限定されるものではなく、第１のフランジ部３ａの糸巻溝２側の面を直接加工することによって凹部を形成してもよい。この場合、凹部の段差部に切り込みを入れる必要がある。
【００２９】
また、本実施の形態においては、弾性部材６の長方形状部分６ｅに係止用切り込み７を形成し、この係止用切り込み７に釣糸の巻き終わりの端部を係止しておくようにされているが、必ずしも係止用切り込み７を形成する必要はなく、切り欠き部４の側壁と弾性部材６の長方形状部分６ｅとにより形成された切り込み１５に係止させるようにしてもよい。このことは、第１のフランジ部３ａの糸巻溝２側の面を直接加工することによって凹部を形成した場合についても言えることである。
【００３０】
また、本実施の形態においては、弾性部材６の長方形状部分６ｅの糸巻溝２側の面を第１のフランジ部３ａの糸巻溝２側の面よりも釣糸８の直径分だけ凹んだ状態となるようにしているが、必ずしもこの構成に限定されるものではなく、弾性部材６の長方形状部分６ｅの糸巻溝２側の面は第１のフランジ部３ａの糸巻溝２側の面より凹んでいればよい。このことは、第１のフランジ部３ａの糸巻溝２側の面を直接加工することによって凹部を形成した場合についても言えることである。
【００３１】
また、本実施の形態においては、糸巻溝に巻かれた釣糸の端部を係止しておくための係止部を弾性部材６の長方形状部分６ｅと一体に形成しているが（弾性部材６の円形状部分６ｆ）、必ずしもこの構成に限定されるものではなく、弾性部材６とは別個に設けてもよい。
【００３２】
【発明の効果】
以上説明したように、本発明に係る釣糸用糸巻の構成によれば、釣糸が切り込みから糸巻溝内に導入された後、糸巻溝の端部に沿って巻かれていくまでの間、釣糸は第１のフランジ部の糸巻溝側の面よりも少なくとも釣糸の直径分だけ凹んだ凹部内に位置することとなるので、釣糸を糸巻溝内に平行に巻いていく際に、この部分が邪魔になることはない。このため、釣糸の全体を糸巻溝の一方の端から他方の端にわたって平行に巻いていくことができる。すなわち、従来のように糸巻溝の端部に釣糸が巻かれていない空隙部分が生じることはない。その結果、平行に巻かれた釣糸の状態が崩れてしまうことはない。また、釣糸の巻き始めの端部を、凹部の段差部に形成された切り込みに係止しておくことができるので、釣糸用糸巻に巻かれた釣糸をハリス用に少しずつ切断して使用していく段階で、釣糸が釣糸用糸巻から解けてしまうことがなく、釣糸を最後まで釣糸用糸巻に保持しておくことができる。また、第１のフランジ部に、切り込みに隣接して釣糸導入用の傾斜面が形成されているので、釣糸を当該釣糸導入用の傾斜面を滑らせることにより、釣糸を切り込みに入れ込んで、糸巻溝内に簡単に導入することができる。さらに、第２のフランジ部に、釣糸導入用の傾斜面に対向して前記釣糸導入用の傾斜面と同じ向きに傾斜した釣糸導出用の傾斜面が形成されているので、複数個の釣糸用糸巻に連続して平行巻きを行う際に、釣糸を釣糸導出用の傾斜面と釣糸導入用の傾斜面を滑らせることにより、釣糸を隣接する釣糸用糸巻の切り込みに入れ込んで、隣接する釣糸用糸巻の糸巻溝内に簡単に導入することができる。
【図面の簡単な説明】
【図１】本発明の実施の形態における釣糸用糸巻を示す分解斜視図である。
【図２】本発明の実施の形態における釣糸用糸巻に弾性部材を装着した状態を示す斜視図である。
【図３】本発明の実施の形態における釣糸用糸巻を糸巻溝側から見た部分斜視図である。
【図４】本発明の実施の形態における釣糸用糸巻を用いて平行巻きを行う場合の行程図である。
【図５】従来技術における釣糸用糸巻を示す斜視図である。
【図６】従来技術における釣糸用糸巻を用いて平行巻きを行う場合の釣糸の巻き始めの部分を示す部分斜視図である。
【図７】従来技術において適当なトラバースで釣糸用糸巻に巻かれた釣糸の状態を示す部分斜視図である。
【符号の説明】
１  釣糸用糸巻
２  糸巻溝
３ａ  第１のフランジ部
３ｂ  第２のフランジ部
４  切り欠き部
４ａ、４ｂ、６ａ、６ｂ  傾斜面
５ｃ  第１の嵌合孔
５ｄ  第２の嵌合孔
６  弾性部材
６ｃ  第１の突起
６ｄ  第２の突起
６ｅ  長方形状部分
６ｆ  円形状部分
７  係止用切り込み
８  釣糸
１３  凹所
１４  凹部
１５  切り込み
１６  釣糸導入用の傾斜面
１７  釣糸導出用の傾斜面
【図１】
0003672686.tif 000002
【図２】
0003672686.tif 000003
【図３】
0003672686.tif 000004
【図４】
0003672686.tif 000005
【図５】
0003672686.tif 000006
【図６】
0003672686.tif 000007
【図７】
0003672686.tif 000008